(57)【要約】【課題】  第１には、書類への捺印の信頼性を向上させることができる捺印システムを提供する。第２には、そのような捺印システムで、且つ、書類の捺印進行度合の確認が容易なシステムを提供する。【解決手段】  捺印部は、捺印の際に書類を載置して、載置した状態で捺印を行うための捺印台と、捺印動作を検出し、検出信号をリーダ・ライタへ送る捺印検出器と、該捺印検出器からの前記検出信号を受け取った場合に、前記印鑑に内蔵された非接触型データキャリアからその固有ＩＤ情報を読み込み、該固有ＩＤ情報を前記書類に内蔵された非接触型データキャリアに書き込み、また、前記書類に内蔵された非接触型データキャリアからその固有ＩＤ情報を読み込み、該固有ＩＤ情報を前記印鑑に内蔵された非接触型データキャリアに書き込む、リーダ・ライタと、該リーダ・ライタの読み込みや書き込みの際に必要に応じて用いる記憶部と、これらを関連付けて制御する制御部とを備えている。【選択図】  図１
2007249399.tif 000002
【特許請求の範囲】
【請求項１】
書類への捺印の信頼性を向上させるための捺印システムであって、固有ＩＤ情報が記録された非接触型データキャリアを内蔵した印鑑と、固有ＩＤ情報が記録された非接触型データキャリアを内蔵した、捺印欄を有する書類と、前記印鑑により、前記書類の捺印欄に捺印を行う際に用いる捺印部とを備えたもので、前記捺印部は、捺印の際に前記書類を載置して、載置した状態で捺印を行うための捺印台と、捺印動作を検出し、検出信号をリーダ・ライタへ送る捺印検出器と、該捺印検出器からの前記検出信号を受け取った場合に、前記印鑑に内蔵された非接触型データキャリアからその固有ＩＤ情報を読み込み、該固有ＩＤ情報を前記書類に内蔵された非接触型データキャリアに書き込み、また、前記書類に内蔵された非接触型データキャリアからその固有ＩＤ情報を読み込み、該固有ＩＤ情報を前記印鑑に内蔵された非接触型データキャリアに書き込む、リーダ・ライタと、該リーダ・ライタの読み込みや書き込みの際に必要に応じて用いる記憶部と、これらを関連付けて制御する制御部とを備えていることを特徴とする捺印システム。
【請求項２】
請求項１に記載の捺印システムであって、前記捺印部は、前記捺印台と一体として、前記捺印検出器と、前記リーダ・ライタと、記憶部とを備えていることを特徴とする捺印システム。
【請求項３】
請求項１ないし２のいずれか１項に記載の捺印システムであって、前記制御部の制御の下で、各書類毎に、その非接触型データキャリアの固有ＩＤ情報と、そこに捺印された各捺印に対応した各印鑑の非接触型データキャリアの固有ＩＤ情報とを、関連付けて、データベースとして記憶するデータベース用記憶部を、前記捺印部とは別に備えていることを特徴とする捺印システム。
【請求項４】
請求項３に記載の捺印システムであって、前記データベース用記憶部はネットワークシステムに接続されていることを特徴とする捺印システム。
【請求項５】
請求項１ないし４のいずれか１項に記載の捺印システムであって、前記印鑑に内蔵された非接触型データキャリア、前記書類に内蔵された非接触型データキャリアは、いずれも、ＲＦＩＤタグで、微小なＩＣチップとアンテナコイルを電気的に接続した構造のもので、該ＩＣチップの不揮発性メモリに書き換え不可能に記憶されている固有の識別子であるＵＩＤ（Ｕｎｉｑｕｅ  Ｉｄｅｎｔｉｆｉｃａｔｉｏｎ）を固有ＩＤ情報として用いるもので、且つ、前記各ＲＦＩＤタグは、前記リーダ・ライタから、所定の周波数ｆで、前記リーダ・ライタとデータ通信するためのエネルギーを受けとり、前記リーダ・ライタと、該所定の周波数ｆでデータ通信を行うものであることを特徴とする捺印システム。
【請求項６】
請求項１ないし５のいずれか１項に記載の捺印システムであって、前記捺印検出器からの前記検出信号を受け取った場合に、前記リーダ・ライタは、前記印鑑に内蔵された非接触型データキャリアおよび前記書類に内蔵された非接触型データキャリアに、その時刻を捺印時刻として書き込むものであることを特徴とする捺印システム。
【発明の詳細な説明】
【技術分野】
【０００１】
本発明は、書類への捺印の信頼性を向上させるための捺印システムに関する。
【背景技術】
【０００２】
情報の機密性の面からＩＣカードが次第に普及されつつ中、近年では、読み書き装置（リーダ・ライタ）と接触せずに情報の授受を行う非接触型のＩＣカードが提案され、中でも、外部の読み書き装置との信号交換を、あるいは信号交換と電力供給とを電磁波により行う方式のものが実用化されつつある。
そして、このような中、データを搭載したＩＣチップを、アンテナコイルと接続した、シート状ないし札状の非接触式のＩＣタグが、近年、種々提案され、商品や包装箱等に付け、万引き防止、物流システム、商品管理等に利用されるようになってきた。
勿論、ＩＣを持たない単なる共振タグも物品の存在感知に用いられている。
【０００３】
一方、従来から、一般に、書類に捺印して承認を得ることが行われているが、捺印による承認行為は、技術が進歩した最近においては、捺印承認の正当性が脆弱で、問題となってきた。
最近の技術を以ってすれば、印影の偽造が市販の電子機器で可能だったり、印鑑そのものを偽造したりすることも難しくない。
これに対し、捺印情報を確認する手段は、印影の目視確認や画像認識技術を応用するのみである。
このため、最近の承認行為確認手段の技術レベルでは、最近の捺印偽造の技術に対応できない。
【０００４】
このような中、例えば、特開２００２−１５７３９２号公報（特許文献１）には、非接触式のＩＣタグを内蔵した印鑑を用いた文書管理システムが記載されている。
しかし、ここに記載のものは、あくまで捺印の進行度合を分かるようにするための文書管理システムであり、捺印による承認行為の正当性を認証するには十分なものとは言えない。
【特許文献１】特開２００２−１５７３９２号公報
【発明の開示】
【発明が解決しようとする課題】
【０００５】
上記のように、書類への承認のための捺印については、最近、特開２００２−１５７３９２号公報（特許文献１）に記載のような、文書管理システムが開示されているが、捺印による承認行為の正当性を認証するには十分なものは未だなく、その対応が求められていた。
本発明はこれに対応するもので、第１には、書類への捺印の信頼性を向上させることができる捺印システムを提供しようとするものである。
第２には、そのような捺印システムで、且つ、書類の捺印進行度合の確認が容易なシステムを提供しようとするものである。
【課題を解決するための手段】
【０００６】
本発明の捺印システムは、書類への捺印の信頼性を向上させるための捺印システムであって、固有ＩＤ情報が記録された非接触型データキャリアを内蔵した印鑑と、固有ＩＤ情報が記録された非接触型データキャリアを内蔵した、捺印欄を有する書類と、前記印鑑により、前記書類の捺印欄に捺印を行う際に用いる捺印部とを備えたもので、前記捺印部は、捺印の際に前記書類を載置して、載置した状態で捺印を行うための捺印台と、捺印動作を検出し、検出信号をリーダ・ライタへ送る捺印検出器と、該捺印検出器からの前記検出信号を受け取った場合に、前記印鑑に内蔵された非接触型データキャリアからその固有ＩＤ情報を読み込み、該固有ＩＤ情報を前記書類に内蔵された非接触型データキャリアに書き込み、また、前記書類に内蔵された非接触型データキャリアからその固有ＩＤ情報を読み込み、該固有ＩＤ情報を前記印鑑に内蔵された非接触型データキャリアに書き込む、リーダ・ライタと、該リーダ・ライタの読み込みや書き込みの際に必要に応じて用いる記憶部と、これらを関連付けて制御する制御部とを備えていることを特徴とするものである。  そして、上記の捺印システムであって、前記捺印部は、前記捺印台と一体として、前記捺印検出器と、前記リーダ・ライタと、記憶部とを備えていることを特徴とするものである。
そしてまた、上記いずれかの捺印システムであって、前記制御部の制御の下で、各書類毎に、その非接触型データキャリアの固有ＩＤ情報と、そこに捺印された各捺印に対応した各印鑑の非接触型データキャリアの固有ＩＤ情報とを、関連付けて、データベースとして記憶するデータベース用記憶部を、前記捺印部とは別に備えていることを特徴とするものであり、前記データベース用記憶部はネットワークシステムに接続されていることを特徴とするものである。
また、上記いずれかの捺印システムであって、前記印鑑に内蔵された非接触型データキャリア、前記書類に内蔵された非接触型データキャリアは、いずれも、ＲＦＩＤタグで、微小なＩＣチップとアンテナコイルを電気的に接続した構造のもので、該ＩＣチップの不揮発性メモリに書き換え不可能に記憶されている固有の識別子であるＵＩＤ（Ｕｎｉｑｕｅ  Ｉｄｅｎｔｉｆｉｃａｔｉｏｎ）を固有ＩＤ情報として用いるもので、且つ、前記各ＲＦＩＤタグは、前記リーダ・ライタから、所定の周波数ｆで、前記リーダ・ライタとデータ通信するためのエネルギーを受けとり、前記リーダ・ライタと、該所定の周波数ｆでデータ通信を行うものであることを特徴とするものである。
また、前記いずれかの捺印システムであって、前記捺印検出器からの前記検出信号を受け取った場合に、前記リーダ・ライタは、前記印鑑に内蔵された非接触型データキャリアおよび前記書類に内蔵された非接触型データキャリアに、その時刻を捺印時刻として書き込むものであることを特徴とするものである。
尚、ここでは、内蔵とは、埋め込む等によりその内部に配するもので、故意に破壊しなければ取り出すことができない状態のものを言う。
【０００７】
（作用）
本発明の捺印システムは、このような構成にすることにより、書類への捺印の信頼性を向上させることができる捺印システムの提供を可能としている。
具体的には、固有ＩＤ情報が記録された非接触型データキャリアを内蔵した印鑑と、固有ＩＤ情報が記録された非接触型データキャリアを内蔵した、捺印欄を有する書類と、前記印鑑により、前記書類の捺印欄に捺印を行う際に用いる捺印部とを備えたもので、前記捺印部は、捺印の際に前記書類を載置して、載置した状態で捺印を行うための捺印台と、捺印動作を検出し、検出信号をリーダ・ライタへ送る捺印検出器と、該捺印検出器からの前記検出信号を受け取った場合に、前記印鑑に内蔵された非接触型データキャリアからその固有ＩＤ情報を読み込み、該固有ＩＤ情報を前記書類に内蔵された非接触型データキャリアに書き込み、また、前記書類に内蔵された非接触型データキャリアからその固有ＩＤ情報を読み込み、該固有ＩＤ情報を前記印鑑に内蔵された非接触型データキャリアに書き込む、リーダ・ライタと、該リーダ・ライタの読み込みや書き込みの際に必要に応じて用いる記憶部と、これらを関連付けて制御する制御部とを備えていることにより、これを達成している。
詳しくは、前記捺印台において、捺印の際に、リーダ・ライタにより、前記印鑑に内蔵された非接触型データキャリアからその固有ＩＤ情報を読み込み、該固有ＩＤ情報を前記書類に内蔵された非接触型データキャリアに書き込み、また、前記書類に内蔵された非接触型データキャリアからその固有ＩＤ情報を読み込み、該固有ＩＤ情報を前記印鑑に内蔵された非接触型データキャリアに書き込む込むことにより、捺印の後に、書類と印鑑とに書き込まれた固有ＩＤ情報から、書類と印鑑との対応が正当であるか否かを判断することができる。
これにより、必要に応じて、書類と印鑑との対応が正当であるか否かを確認することができ、結果、書類への捺印の信頼性を向上させることができる。
また、書類や印鑑に破壊しなければ取り出すことができないＩＣタグを内蔵していることにより、書類と印鑑との対応が正当であるか否かを確認する際に、破壊行為が行われているか否かも確認でき、これにより、一層、書類への捺印の信頼性を向上させることができる。
尚、捺印検出器を備えていることにより、捺印する際の印鑑と書類を対応付けてリーダ・ライタがデータ通信する対象として把握することを可能としている。
また、捺印部は、前記捺印台と一体として、前記捺印検出器と、前記リーダ・ライタと、記憶部とを備えている、請求項２の発明の形態とすることにより、捺印部全体をコンパクトなものとしている。
また、記制御部の制御の下で、各書類毎に、その非接触型データキャリアの固有ＩＤ情報と、そこに捺印された各捺印に対応した各印鑑の非接触型データキャリアの固有ＩＤ情報とを、関連付けて、データベースとして記憶するデータベース用記憶部を、前記捺印部とは別に備えている、請求項３の発明の形態とすることにより、書類の捺印進行度合の確認を容易なものとしている。
更に、前記データベース用記憶部はネットワークシステムに接続されている、請求項４の発明の形態とすることにより、広く、その捺印進行度合を確認することを容易に可能としている。
特に、前記印鑑に内蔵された非接触型データキャリア、前記書類に内蔵された非接触型データキャリアは、いずれも、ＲＦＩＤタグで、微小なＩＣチップとアンテナコイルを電気的に接続した構造のもので、該ＩＣチップの不揮発性メモリに書き換え不可能に記憶されている固有の識別子であるＵＩＤ（Ｕｎｉｑｕｅ  Ｉｄｅｎｔｉｆｉｃａｔｉｏｎ）を固有ＩＤ情報として用いるもので、且つ、前記各ＲＦＩＤタグは、前記リーダ・ライタから、所定の周波数ｆで、前記リーダ・ライタとデータ通信するためのエネルギーを受けとり、前記リーダ・ライタと、該所定の周波数ｆでデータ通信を行うものである、請求項５の発明の形態とすることにより、簡単な構造のＲＦＩＤタグを用い、該ＲＦＩＤタグ自体には電池を用いないで、リーダ・ライタとデータ通信を行うことを可能としており、印鑑、書類において、ＲＦＩＤタグ部を密閉された構造とすることができる。
これにより、破壊による偽造の抑止にもなる。
また、捺印検出器からの前記検出信号を受け取った場合に、リーダ・ライタは、印鑑に内蔵された非接触型データキャリアおよび書類に内蔵された非接触型データキャリアに、その時刻を捺印時刻として書き込むものである、請求項６の発明の形態とすることにより、捺印の後に、書類と印鑑とに書き込まれた捺印時刻情から、書類と印鑑との対応が正当であるか否か判断する際、判定の信頼性を高いものとできる。
【発明の効果】
【０００８】
本発明は、上記のように、必要に応じて、書類と印鑑との対応が正当であるか否かを確認することができ、結果、書類への捺印の信頼性を向上させることができる捺印システムの提供を可能とした。
また、更に、そのような捺印システムで、且つ、書類の捺印進行度合の確認が容易な捺印システムの提供を可能としてた。
【発明を実施するための最良の形態】
【０００９】
本発明の実施の形態を図に基づいて説明する。
図１は本発明の捺印システムの実施の形態の１例の概略構成図で、図２は一体型の捺印部を有する形態を示した概略図で、図３（ａ）は書類の１例と捺印状態を示した図で、図３（ｂ）は印鑑の１例を示した図で、図４は本発明の捺印システムの実施の形態の別の例の概略構成図で、図５は本発明の捺印システムにおける各部とその動作を関連付けて示した処理フロー図である。
尚、図３ではアンテナコイルとＩＣチップとを透視して示している。
また、図５では、情報ないし処理の方向を矢印で示している。
図１〜図５中、１０は書類、１５はＩＣタグ（非接触型データキャリアとも言う）、１６はＩＣチップ、１７はアンテナコイル、１８は捺印欄、２０は印鑑、２１はＩＣタグ（非接触型データキャリアとも言う）、２２はＩＣチップ、２３はアンテナコイル、２５は捺印名、３０は捺印部、３１は捺印台、３２は捺印検出器、３３はリーダ・ライタ、３４は記憶部、３５は制御部、５０はデータベース、７０はネットワークである。
【００１０】
はじめに、本発明の捺印システムの実施の形態の１例を図１に基づいて説明する。
本例の捺印システムは、
書類１０への捺印の信頼性を向上させるための捺印システムで、固有ＩＤ情報が記録された非接触型データキャリアとしてＩＣタグ２１を内蔵した印鑑２０と、固有ＩＤ情報が記録された非接触型データキャリアとしてＩＣタグ１５を内蔵した、捺印欄１８を有する書類１０と、前記印鑑２０により、前記書類１０の捺印欄１８に捺印を行う際に用いる捺印部３０とを備えたものである。
そして、捺印部３０は、捺印の際に書類１０を載置して、載置した状態で捺印を行うための捺印台３１と、捺印動作を検出し、検出信号をリーダ・ライタ３３へ送る捺印検出器３２と、捺印検出器３２からの検出信号を受け取った場合に、印鑑２０に内蔵されたＩＣタグ２１からその固有ＩＤ情報であるＵＩＤを読み込み、該ＵＩＤを書類１０に内蔵されたＩＤタグ１５に書き込み、また、書類１０に内蔵されたＩＣタグ１５からそのＵＩＤを読み込み、該ＵＩＤを印鑑２０に内蔵されたＩＣタグ２１に書き込む、リーダ・ライタ３３と、リーダ・ライタ３３の読み込みや書き込みの際に必要に応じて用いる記憶部３４と、これらを関連付けて制御する制御部３５とを備えている。
【００１１】
捺印部３０全体は、必ずしも一体とする必要はないが、図２に示すように、捺印台３１側に一体として配設した形態の方が、コンパクトとなりその使用も簡単となり好ましい。  リーダ・ライタ３３としては、書類１０のＩＣタグ１５、印鑑２０のＩＣタグ２１と非接触でデータ通信を行うことができるものであえば、特に限定されない。
場合によっては、通信用のヘッドを、各ＩＣタグの位置に合わせてそれぞれ配しても良いし、１つの通信用のヘッドを適宜移動可能に配しても良い。
ここでは、通信周波数を１３．５６ＭＨｚとしているが、これに限定はされない。
捺印検出器３２としては、捺印検出でき、リーダ・ライタ３３と各ＩＣタグ１５、２１とのデータ通信に影響を与えないものであれば、特に限定されないが、装置構成を簡単にできるものがこのマスク、例えば、圧力センサを用したものや光学式センサを適宜配して、捺印検出器とする。
捺印台３１としては、捺印の際に書類１０を載置して、載置した状態で捺印を行うことができ、リーダ・ライタ３３と各ＩＣタグ１５、２１とのデータ通信に影響を与えないものであれば、特に限定されない。
記憶部３４は、リーダ・ライタ３３の読み込みや書き込みの際に必要に応じて、ＵＩＤ等を一時記憶しておくもので、その際に必要な容量を備えたものであれば、特に限定はされない。
制御部３５は、先に述べたように、捺印部３０の各部を関連付けて制御するものである。
書類１０は、図３（ａ）に示すように、捺印欄１８を設け、捺印欄１８とは別の領域にＩＣタグ１５を、アンテナコイル１７、ＩＣチップ１６が書類１０に沿うように配して、内蔵している。
印鑑２０は、ここでは、図３（ｂ）に示すように、略楕円柱で、ＩＣタグ２１を、アンテナコイル２３、ＩＣチップ２２が該略楕円柱の断面に沿うように配して、埋め込んでいるが、リーダ・ライタとの通信ができればこれに限定はされない。
ここでは、非接触式データキャリアとしての、ＩＣタグ１５、ＩＣタグ２１はアンテナコイルにＩＣチップを接続しただけの、電源を持たないもので、且つ、書類や印鑑に埋め込むことができる微小サイズのもので、リーダ・ライタ３３により、通信のための電力が供給される。
【００１２】
書類１０のＩＣタグ１５は、基板の一面にアンテナコイルを形成し、ＩＣチップを搭載した簡単な構造のものが、その厚さの面から好ましいが、書類１０に内蔵できる程度に薄いものであれば、これに限定されない。
印鑑１０のＩＣタグ２１としては、印鑑２０に内蔵できる程度に小さいことが必要で、簡単な構造のものが好ましい。
このようなＩＣタグとしては、アンテナコイルを多層にして設けた構造のものも挙げられる。
この構造のものは、例えば、基材の表面にアンテナ回路部の一部を形成した基材を積層した積層配線基材に設けられた、スルーホールを介して、各層を電気的に接続してアンテナ回路部としたものであり、積層された積層配線基材の表面部にＩＣチップを搭載し、且つ、アンテナ回路部とボンディングワイヤにより電気的に接続したもので、各層の巻回数が９回程度、４層の渦巻き状で、サイズが５ｍｍ角程度で、厚さが１５０μｍ程度のものが知られている。
表面のＩＣチップ、ボンディングワイヤ、アンテナ回路部は、ソルダーレジストおよび封止樹脂によりカバーされ保護されている。
アンテナコイルの線幅は約８０μｍ、線間幅が約７０μｍ、線厚は約１８μｍで、公知の、アディティブ法やセミアデティブ法等により、このような積層構造で形成できる。
また、ＩＣチップ１６、２２は、ＲＯＭ、ＲＡＭ、ロジック回路、ＣＰＵから主に構成されている。
ＩＣチップ１６、２２としては、フィリップス社のＩ−ＣＯＤＥ  ＳＬＩチップや、インフィニオンテクノロジー社のｍｙ−ｄチップ等、１３．５６ＭＨｚ帯のＲＦＩＤタグ用のチップとして市場で入手可能なものを、用途に合わせて適宜用いる。
【００１３】
次に、捺印部３０の各部の動作の１例を、図５に基づいて、簡単に、説明しておく。
先ず、捺印検出器３２が捺印動作を検出すると、制御部３５は、印鑑２０のＩＣタグ２１のＩＣチップのＵＩＤを固有ＩＤ１として読み込みを指示する。
この指示に基づき、リーダ・ライタ３３は、印鑑２０のＩＣタグ２１へ固有ＩＤ１の呼び出しを要求する送信を行う。
固有ＩＤ１の呼び出しの要求を受信した印鑑２０のＩＣタグ２１は、固有ＩＤ１を送信する。
リーダ・ライタ３３が印鑑２０のＩＣタグ２１から固有ＩＤ１を受信すると、制御部３５はこの固有ＩＤ１を記憶部３４へ格納する。
一方、制御部３５は、リーダ・ライタ３３へ、書類１０のＩＣタグ１５のＵＩＤを固有ＩＤ２としてて読み込みを指示する。
この指示に基づき、リーダ・ライタ３３は、書類１０のＩＣタグ１５へ固有ＩＤ２の呼び出しを要求する送信を行う。
固有ＩＤ２の呼び出しの要求を受信した書類１０のＩＣタグ１５は、固有ＩＤ２を送信する。  リーダ・ライタ３３が、書類１０のＩＣタグ１５から固有ＩＤ２を受信すると、制御部３５は、リーダ・ライタ３３に、この固有ＩＤ２の、印鑑２０のＩＣタグ２１への書き込みを指示する。
この指示を受け、リーダ・ライタ３３は、印鑑２０のＩＣタグ２１へ固有ＩＤ２を書き込む。
次いで、制御部３５は、記憶部３４に記憶されている固有ＩＤ１を受け取り、リーダ・ライタ３３に、この固有ＩＤ１の、書類１０のＩＣタグ１５への書き込みを指示する。
この指示を受け、リーダ・ライタ３３は、書類１０のＩＣタグ１５へ固有ＩＤ１を書き込む。
このようにして、捺印の際、書類１０のＩＣタグ１５の固有ＩＤ２が、印鑑２０のＩＣタグ２１へ書き込まれ、また、印鑑２０のＩＣタグ２１の固有ＩＤ１が、書類１０のＩＣタグ１５へ書き込まれるため、捺印の後に、書類１０と印鑑２０とに書き込まれた固有ＩＤ情報から、書類１０と印鑑２０との対応が正当であるか否かを判断することができる。  上記は１例で、各部の動作はこれに限定されない。
【００１４】
本発明はこれらに限定されるものではない。
例えば、図１に示す本例の捺印システムにおいて、制御部３５の制御の下で、各書類１０毎に、その非接触型データキャリアの固有ＩＤ情報と、そこに捺印された各捺印に対応した各印鑑の非接触型データキャリアの固有ＩＤ情報とを、関連付けて、データベースとして記憶するデータベース用記憶部を、前記捺印部とは別に備えている形態も挙げられる。
このような形態とすることにより、書類の捺印進行度合の確認を容易にできる。
更に、図４に示すように、前記データベース用記憶部をネットワークシステムに接続している形態も挙げられる。
このような形態とすることにより、広く、その捺印進行度合を確認することを容易に可能としている。
また、捺印検出器からの前記検出信号を受け取った場合に、リーダ・ライタは、印鑑に内蔵された非接触型データキャリアおよび書類に内蔵された非接触型データキャリアに、その時刻を捺印時刻として書き込む形態としても良い。
この形態の場合には、捺印の後に、書類と印鑑とに書き込まれた捺印時刻情から、書類と印鑑との対応が正当であるか否か判断する際、判定の信頼性を高いものとできる。
【図面の簡単な説明】
【００１５】
【図１】本発明の捺印システムの実施の形態の１例の概略構成図である。
【図２】一体型の捺印部を有する形態を示した概略図である。
【図３】図３（ａ）は書類の１例と捺印状態を示した図で、図３（ｂ）は印鑑の１例を示した図である。
【図４】本発明の捺印システムの実施の形態の別の例の概略構成図である。
【図５】本発明の捺印システムにおける各部とその動作を関連付けて示した処理フロー図である。
【符号の説明】
【００１６】
１０            書類
１５            ＩＣタグ（非接触型データキャリアとも言う）
１６            ＩＣチップ
１７            アンテナコイル
１８            捺印欄
２０            印鑑
２１            ＩＣタグ（非接触型データキャリアとも言う）
２２            ＩＣチップ
２３            アンテナコイル
２５            捺印名
３０            捺印部
３１            捺印台
３２            捺印検出器
３３            リーダ・ライタ
３４            記憶部
３５            制御部
５０            データベース
７０            ネットワーク
【図１】
2007249399.tif 000003
【図２】
2007249399.tif 000004
【図３】
2007249399.tif 000005
【図４】
2007249399.tif 000006
【図５】
2007249399.tif 000007